(57)【要約】【課題】      自由な間取りと広い開口部が取れ、緊結個所の集約と高い生産性が可能な二面せん断接合による大きい許容耐力壁を提供する。【解決手段】        木造建築物の構造用面材と構造駆体が緊結されるとき、水平応力により面材四隅には強い応力が作用する。この作用力に耐えるため、ビス頭と構造用面材との間にガセットプレートを用い軸組材にかかる応力を減少させ、ガセットプレートと構造用面材と構造駆体の三層を形成する二面せん断接合によって固定し、構造用面材の破断を防ぎ大きい許容耐力の耐力壁を提供する。【選択図】    図１
2005207204.tif 000002
【特許請求の範囲】
【請求項１】
木造建築物の耐力壁は、構造用面材と構造駆体が緊結されるとき、水平応力により面材四隅には強い応力が作用する。作用力に耐える強い耐力が必要のため、ビス頭と面材との間にガセットプレートを用い軸組材にかかる応力を減少させて、構造用面材の、破断を防ぎ大きな許容耐力の耐力壁であることを特徴としたガセットプレートを用いた施工方法。
【請求項２】
耐力壁は構造駆体の縦軸材と横軸材の継ぎ手位置にかかる強い応力に耐え、変形を防ぐため四隅にかかる応力の作用線と同じ三角形で圧縮時の変形を減少させる大きな丸抜き孔を持って変形を防ぎ高い許容応力を持った請求項１に記載のガセットプレートを用いた施工方法。
【請求項３】
耐力壁はビス締め用穿孔から構造用面材と構造駆体とその継ぎ手へ長いビスで緊結し、構造駆体の継ぎ手を引き寄せて、ガセットプレートと構造用面材と構造駆体の三層を形成する二面せん断接合によって固定させる請求１，２に記載のガセットプレートを用いた施工方法。
【請求項４】
耐力壁は二面せん断接合による固定で、水平力時に建物との引き抜き力を減少させ、緊結金物補強を兼ね備える請求１から３に記載のガセットプレートを用いた施工方法。
【請求項５】
耐力壁の集約と、緊結金物補強兼備えは客観的で建物検査を容易にする請求１から４に記載のガセットプレートを用いた施工方法。
【発明の詳細な説明】
【技術分野】
【０００１】      本発明は、木造建築物に作業性に優れ現代ニーズに答える大きい許容耐力の壁を構成するガセットプレートを用いた施工方法である。
【背景技術】
【０００２】      木造軸組工法建築の壁は通し貫や土壁塗りの湿式工法で長い間地震に耐えてきました。最近は柱間と梁間に筋違いを入れるか、または、（例えば特許文献１参照）は面材を張る乾式工法が主流である。【０００３】      北米から技術移転された枠組壁工法（昭和５７年建設省告示第５６号のツーバィフォ工法）の導入を期に木造軸組工法の耐力壁（昭和５６年建設省告示第１１００号）は図７に示す構造用面材２０を壁枠組材や縦軸組材３１，横軸組材３２の構造駆体３０に釘２１で緊結することで、構造面材２０と構造用駆体３０は図８の一面せん断接合で構成される工法が主流となった。（例えば非特許文献１，２参照）【０００４】      従来の耐力壁四隅に帯状プレートをＬ型４１に配置したものがある（例えば特許文献２参照）。以下図３（Ｂ）により耐力壁四隅に帯状プレートをＬ型４１に配置について説明する。
このＬ型プレート４１は従前よりかど金物（記号ＣＰ．Ｌ）（例えば非特許文献３参照）として（昭和５７年建設省告示第５６号の枠組壁工法の接合金物）財団法人日本住宅・木材技術センターのＺマーク認定品である。用途は壁と土台・梁や柱と土台・梁の引き抜きの緊結に用いられる。【０００５】      構造用面材を利用した耐力壁は、阪神大震災で強さを発揮し、また、その作業性が認識され、急速に普及している。しかし、近年は耐震性向上に関する法改正で耐力壁の引き抜きに対する緊結金物補強が増大している。【０００６】      それは、最近の生活の多様化や二世帯住宅など広い間取りや広い開口部を求める顧客ニーズに対して、木造建築の施工手法は逆を向いた状態である。【０００７】      この問題を解決するために耐力壁を集約する必要がある。集約方法として大きい許容耐力の壁を用いるか補強金物にて補強する方法と、複数の耐力壁を複合する方法がある。【０００８】      前記の壁は水平応力時に構造用面材２０の四隅に応力が大きく作用するため、釘２１の本数を増やした場合に、一面せん断接合では縦軸材３１と横軸材３２の変形が大きくて、継ぎ手位置の構造用面材２０は繊維方向と直行すように破れたり、破断するために大きい許容耐力の壁の製作は難しい現状である。【０００９】      また補強金物として、Ｌ型帯金物４１を用い構造用面材２０の上から補強する方法は帯び金物の断面が小さく圧縮応力やせん断応力を受けると変形し、大きい許容耐力の壁としての使用は難しく、もっぱらい弱い引き抜き力の緊結金物として用いられている。【００１０】      もう一方の、複合方法の一面せん断接合は、構造用面材２０を構造駆体３０の両面張とする必要があるが、壁を平らな仕上げ面とするためには、耐力壁以外の壁の下地高さを揃える作業が必要があり、また、上下階の緊結も開口部などの制約で施工を複雑にしてしまい、作業効率の低下とコスト高と、建物検査に余分な時間を必要としているのが現状である。
【特許文献１】特許公開２００１−１５９２０２号公報（図７）
【特許文献２】特許公開２００１−１７３１２６号公報（図８）
【非特許文献１】住宅金融公庫枠組壁工法住宅工事共通仕様書解説付（５０頁）
【非特許文献２】住宅金融公庫木造住宅工事共通仕様書（２２頁）
【非特許文献３】住宅金融公庫枠組壁工法住宅工事共通仕様書解説付（２７頁）
【発明の開示】
【発明が解決しようとする課題】
【００１１】      本発明により自由な間取りと広い開口部が取れ、緊結個所の集約と高い生産性が可能な二面せん断接合による大きい許容耐力壁を提供しようとするものであります。
【課題を解決するための手段】
【００１２】      そして、本発明は上記目的達成のため、木造建築物の構造用面材と構造駆体が緊結されるとき、水平応力により面材四隅には強い応力が作用する。この作用力に耐えるため、ビス頭と構造用面材との間にガセットプレートを用い軸組材にかかる応力を減少させて、構造用面材の、破断を防ぎ大きい許容耐力の耐力壁であることを特徴とする。【００１３】      また、第２の課題解決手段は縦軸材と横軸材の継ぎ手位置にかかる強い応力に耐え、変形を防ぐため四隅にかかる応力の作用線と同じ三角形で、圧縮時の変形を減少させる丸抜き孔を持って大きい許容応力を持つことを特徴とする。【００１４】      また、第３の課題解決手段はビス締め用穿孔から構造用面材と構造駆体とその継ぎ手へ長いビスで緊結し、構造駆体の継ぎ手を引き寄せて、ガセットプレートと構造用面材と構造駆体の三層を形成する二面せん断接合によって固定させることを特徴としている。【００１５】      また、第４の課題解決手段は面せん断接合による固定で水平力時に、建物と耐力壁の引き抜き力を減少さる緊結金物補強を兼ね備ることを特徴とする。【００１６】      また、第５の課題解決手段は、建物の耐力壁位置を明確にさせ検査時間を短縮させることを特徴とする。
【発明の効果】
【００１７】      このように本発明は木造建築物の耐力壁の、構造用面材四隅と構造駆体の緊結のため、ビス頭と構造用面材との間にガセットプレートを用い軸組材の応力を減少させ、構造用面材の破断を防いで大きい許容耐力の耐力壁を提供する。【００１８】      また、耐力壁は縦軸材と横軸材の継ぎ手位置にかかる強い応力に耐え、変形を防ぐため四隅にかかる応力の作用線と同じ三角形で圧縮時の変形を減少させ大きい許容耐力の耐力壁を提供する。【００１９】      また、耐力壁はビス締め用穿孔から構造用面材と構造駆体とその継ぎ手を長いビスで緊結して駆体の継ぎ手を引き寄せて、ガセットプレートと構造用面材と構造駆体による二面せん断接合によって大きい許容耐力の耐力壁を提供する。【００２０】      また、耐力壁は二面せん断接合による固定で、水平力時に建物との引き抜き力を減少させ、緊結金物補強を兼ね備える大きい許容耐力の耐力壁を提供する。【００２１】      耐力壁の集約と、緊結金物補強兼備えは客観的で建物検査の容易な大きい許容耐力の耐力壁を提供する。
【発明を実施するための最良の形態】
【００２２】      以下、本発明の実施の形態を図１〜図８に基づいて説明する。【００２３】      図１は発明に係る耐力壁で、構造用駆体３０の縦軸材３１と横軸材３２の枠組に対し、構造用面材２０の四隅にはガセットプレート１を配し、ビス用穿孔１１から、長いビス１３で、構造用面材２０を貫通させ、構造駆体３０の縦軸材３１と横軸材３２のそれぞれへ二面せん断接合し、四隅以外は釘２１にて構造駆体３０の縦軸材３１と横軸材３２間柱３３のそれぞれへ一面せん断接合する。【００２４】      図５は本発明に係るガセットプレート１を示す。このガセットプレート１は高い応力に耐えるため例えば厚さ３から４ｍｍ程度の一般用鋼鈑製で複数のビス用穿孔１１を備え、穴径５〜６ｍｍであり、歪め止め丸孔１２は穴径６０ｍｍ程度を備え、作用応力と同じ三角形状態で、例えば頂点二角を直角に切断した五角形である。【００２５】      図４は本発明に係る二面せん断結合に用いる長ビス１３を示す。長ビス１３の頭は大きな力で緊結するため例えばロ型でドライバービットの強い力に耐え、首長さは面材の損傷を防ぐため、ガセットと構造用面材の厚さ程度とする１２ｍｍ程度で、首径は５〜６ｍｍの太さで首下６５ｍｍ程度の長さをもつ。【００２６】      このように予め穿孔されたビス穴より電動ドライバーやエアー工具を使うことで工事現場での作業が容易となり何人でもミスなく確実に施工できる。
【図面の簡単な説明】
【００２７】
【図１】      本発明の実施形態を示す正面図
【図２】      本発明の実施形態を示す縦断面図
【図３】      本発明の実施形態の一面せん断接合を示すＢ−Ｂ断面図
【図４】      本発明の実施形態の二面せん断接合を示すＣ−Ｃ断面図
【図５】      本発明の実施形態のガセットプレート正面図
【図６】      本発明の実施形態の詳細図Ａ−Ａ断面図
【図７】      特許公開２００１−１５９２０２号公報に示す図１
【図８】      特許公開２００１−１７３１２６号公報に示す図３Ｂ
【符号の説明】
【００２８】          １      ガセットプレート
１１    ビス用穿孔
１２    歪め止め丸孔
１３    長いビス
２０    構造用面材
２１    釘
３０    構造用駆体
３１    縦軸組材
３２    横軸組材
３３    間柱
４１    Ｌ型帯びプレート
【図１】
2005207204.tif 000003
【図２】
2005207204.tif 000004
【図３】
2005207204.tif 000005
【図４】
2005207204.tif 000006
【図５】
2005207204.tif 000007
【図６】
2005207204.tif 000008
【図７】
2005207204.tif 000009
【図８】
2005207204.tif 000010